(57)【要約】【課題】  大荷重作用時にも配管の健全性を維持できるようにする。【解決手段】  配管１の外周に沿って延びる円弧形状の板状部材７を、配管１の外周に周方向に４つ配置し、隣接する板状部材７の端部同士を引張ばねとして作用する板ばね８を介して連結する。所要の板状部材７の外周面部に連結部１０を設けて配管支持金物６を形成する。配管１の所要個所の外周に配管接合金物７を装着し、連結部１０に、固定構造物４の所要個所に一端部を取り付けた耐震用支持部材３の他端部を連結して、配管１を配管支持金物６と耐震用支持部材３を介し固定構造物４に支持させる。配管１の熱膨張は、板ばね８の伸長により各板状部材７同士の隙間を広げることで吸収させる。大地震時に配管１に大きな荷重が作用する場合でも、配管１における配管支持金物６の装着部分の管壁の周方向の一部に応力が集中して過大な負担が作用する虞を未然に防止させる。【選択図】図１
2009210066.tif 000002
【特許請求の範囲】
【請求項１】
支持すべき配管と、該配管を支持するため一端部を固定構造物に支持させてなる耐震用支持部材の他端部との間に介在させて上記配管を支持するようにしてある配管支持金物において、上記配管の外周に沿わせて配置できるように円弧形状とした複数の板状部材を周方向に配列させて、該各板状部材の隣接する端部同士を板ばねを介し連結してリング状構造物とし、更に、上記各板状部材のうちの所要の板状部材に、上記耐震用支持部材の他端部に連結するための連結部を備えてなり、支持すべき配管に上記リング状構造物を嵌め且つ上記連結部を耐震用支持部材の他端部に連結して配管を支持するようにした構成を有することを特徴とする配管支持金物。
【請求項２】
支持すべき配管と、該配管を支持するため一端部を固定構造物に支持させてなる耐震用支持部材の他端部との間に介在させて上記配管を支持するようにしてある配管支持金物において、上記配管の外周に沿わせて配置できるように円弧形状とした複数の板状部材を周方向に配列させて、該各板状部材の隣接する端部同士を板ばねを介し連結してリング状構造物とし、該リング状構造物を、配管長手方向に沿うように複数配置して該各リング状構造物同士を連結部材で連結してなり、支持すべき配管に上記各リング状構造物を嵌め且つ上記連結部材の所要個所を上記耐震用支持部材の他端部に連結して配管を支持するようにした構成を有することを特徴とする配管支持金物。
【請求項３】
板ばねのばね定数を２００〜７００Ｎ／ｍｍとした請求項１又は２記載の配管支持金物。
【発明の詳細な説明】
【技術分野】
【０００１】
本発明は、躯体側に一端部を支持させてなるスナバー等の耐震用支持部材の他端側に配管の所要個所を取り付けるために用いる配管支持金物に関するものである。
【背景技術】
【０００２】
プラントの配管は、躯体等の固定構造物より各種の支持装置を介して支持されている。
【０００３】
この種の支持装置のうち、たとえば、耐震性を考慮した支持装置としては、図３に示す如く、配管１の所要個所にラグ２を溶接により取り付け、更に、固定構造物４の所要個所に一端部を取り付けてなるスナバー等の耐震用支持部材３の他端部を、上記ラグ２に連結して、上記配管１の荷重を、ラグ２と耐震用支持部材３を介して上記固定構造物４に支持させるようにしたものが従来広く用いられている（たとえば、特許文献１参照）。
【０００４】
【特許文献１】特許第２７４２０３８号
【発明の開示】
【発明が解決しようとする課題】
【０００５】
ところが、上記図３に示した如き支持装置にて、配管１を支持した構成において、大地震時のように大きな荷重が配管１に作用した際に、配管１の過大な変位を抑えるべく耐震用支持部材３によって配管１が固定されるようになると、その地震荷重がラグ２と配管１に作用するようになる。
【０００６】
この際、配管１とラグ２との溶接による接合部５に負担が掛かる場合であっても、破損が生じるとすれば、ラグ２が破損するようにして、配管１の健全性が維持されるようにすることが求められる。しかし、従来は、一体構造のラグ２を、溶接によって配管１に接合するようにしていたため、溶接品質のばらつき等に起因して、万一、ラグ２と配管１との溶接接合部５との脚長が大きい場合、該溶接接合部５における強度が、配管１の管壁の肉厚方向の剪断強さを上回っている部分が存在すると、配管１とラグ２との溶接接合部５に大きな負担が作用するときに、ラグ２ではなく、ラグ２が接合してある部分の配管１の管壁（図３におけるＸ部）に破損が生じる可能性が懸念されるというのが実状である。
【０００７】
そこで、本発明は、配管に大きな荷重が作用する場合に、該配管の管壁に過大な負担が作用する虞を未然に防止できて、配管の健全性を維持することができる配管支持金物を提供しようとするものである。
【課題を解決するための手段】
【０００８】
本発明は、上記課題を解決するために、請求項１に対応して、支持すべき配管と、該配管を支持するため一端部を固定構造物に支持させてなる耐震用支持部材の他端部との間に介在させて上記配管を支持するようにしてある配管支持金物において、上記配管の外周に沿わせて配置できるように円弧形状とした複数の板状部材を周方向に配列させて、該各板状部材の隣接する端部同士を板ばねを介し連結してリング状構造物とし、更に、上記各板状部材のうちの所要の板状部材に、上記耐震用支持部材の他端部に連結するための連結部を備えてなり、支持すべき配管に上記リング状構造物を嵌め且つ上記連結部を耐震用支持部材の他端部に連結して配管を支持するようにした構成とする。
【０００９】
又、請求項２に対応して、支持すべき配管と、該配管を支持するため一端部を固定構造物に支持させてなる耐震用支持部材の他端部との間に介在させて上記配管を支持するようにしてある配管支持金物において、上記配管の外周に沿わせて配置できるように円弧形状とした複数の板状部材を周方向に配列させて、該各板状部材の隣接する端部同士を板ばねを介し連結してリング状構造物とし、該リング状構造物を、配管長手方向に沿うように複数配置して該各リング状構造物同士を連結部材で連結してなり、支持すべき配管に上記各リング状構造物を嵌め且つ上記連結部材の所要個所を上記耐震用支持部材の他端部に連結して配管を支持するようにした構成とする。
【００１０】
更に、上記各構成において、板ばねのばね定数を２００〜７００Ｎ／ｍｍとした構成とする。
【発明の効果】
【００１１】
本発明の配管支持金物によれば、以下のような優れた効果を発揮する。  
（１）支持すべき配管と、該配管を支持するため一端部を固定構造物に支持させてなる耐震用支持部材の他端部との間に介在させて上記配管を支持するようにしてある配管支持金物において、上記配管の外周に沿わせて配置できるように円弧形状とした複数の板状部材を周方向に配列させて、該各板状部材の隣接する端部同士を板ばねを介し連結してリング状構造物とし、更に、上記各板状部材のうちの所要の板状部材に、上記耐震用支持部材の他端部に連結するための連結部を備えてなり、支持すべき配管に上記リング状構造物を嵌め且つ上記連結部を耐震用支持部材の他端部に連結して配管を支持するようにした構成、又は、支持すべき配管と、該配管を支持するため一端部を固定構造物に支持させてなる耐震用支持部材の他端部との間に介在させて上記配管を支持するようにしてある配管支持金物において、上記配管の外周に沿わせて配置できるように円弧形状とした複数の板状部材を周方向に配列させて、該各板状部材の隣接する端部同士を板ばねを介し連結してリング状構造物とし、該リング状構造物を、配管長手方向に沿うように複数配置して該各リング状構造物同士を連結部材で連結してなり、支持すべき配管に上記各リング状構造物を嵌め且つ上記連結部材の所要個所を上記耐震用支持部材の他端部に連結して配管を支持するようにした構成としてあるので、上記各配管支持金物の所定個所を、固定構造部に長手方向一端部が支持された耐震用支持部材の他端部に連結することで、上記配管の荷重を、配管支持金物と耐震用支持部材とを介して上記固定構造物に支持させることができる。この状態にて、大地震時に大きな荷重が配管に作用する際、配管の過大な変位を抑えるべく上記耐震用支持構造物によって固定される配管と、配管支持金物との間に大きな地震荷重が作用するときであっても、該配管における配管支持金物の装着部分の管壁にて、周方向の一部に応力が集中して作用することで過大な負担が作用する虞を未然に防止できて、配管と配管支持金物の接合面の断面係数が上げることができるため、配管の健全性を維持することができる。  
（２）板ばねのばね定数を２００〜７００Ｎ／ｍｍとした構成とすることにより、配管の熱膨張は、隣接する板状部材の端部同士を連結している板ばねの伸長変形により板状部材同士の隙間を開くことで逃がすことができる。又、大地震時に大きな荷重が配管に作用する場合であっても、上記配管の外周に配してある各板状部材を、該配管の外周面に密着させた状態で保持できる。
【発明を実施するための最良の形態】
【００１２】
以下、本発明を実施するための最良の形態を図面を参照して説明する。
【００１３】
図１は本発明の配管支持金物の実施の一形態を示すもので、以下のようにしてある。
【００１４】
すなわち、上記配管支持金物６は、支持すべき配管１の所要個所の外周に配置できるように、該配管１の外周に沿って延びるリング形状を周方向に複数分割した形状、たとえば、周方向等間隔で４分割した円弧形状の扁平な板状部材７を、周方向に並べて配列すると共に、該各板状部材７の隣接する端部同士を、引張りばねとして作用する板ばね８を介してそれぞれ連結する。これにより、上記各板状部材７と各板ばね８により形成されるリング状構造物９を、上記配管１の外周に装着できるようにする。
【００１５】
上記板ばね８のばね定数は、たとえば、２００〜７００Ｎ／ｍｍとしてある。これにより、上記配管１の管壁の熱膨張は、上記隣接する板状部材７の端部同士を連結している上記各板ばね８の伸長変形により板状部材７同士の隙間を開くことで逃がすことができるようにしてある一方、大地震時等に大きな荷重が配管１に作用する場合であっても、上記配管１の外周に配した各板状部材７を該配管１の外周面に密着させた状態に保持できるようにしてある。
【００１６】
更に、上記配管１の外周に配された４つの板状部材７のうちの１つの板状部材７の外周面部の所要個所に連結部１０を設けて、該連結部１０を、固定構造物４の所要個所に一端部を取り付けてなるスナバー等の耐震用支持部材３の他端部に連結することができるようにしてある。
【００１７】
その他、図１において図３に示したものと同一のものには同一符号が付してある。
【００１８】
以上の構成としてある配管支持金物６を使用する場合は、支持すべき配管１の所要個所の外周にて、各板状部材７と板ばね８とをリング状に組み立てて、形成されるリング状構造物９を上記配管１の外周に装着する。次いで、上記板状部材７の一つに予め設けておいた連結部１０を、固定構造物４の所要個所に一端部を取り付けてなるスナバー等の耐震用支持部材３の他端部に連結する。これにより、上記配管１の荷重が、上記配管支持金物６における各板状部材７及び板ばね８と、連結部１０と、耐震用支持部材３を介して上記固定構造物４に支持されるようになる。
【００１９】
この状態で、大地震時のように大きな荷重が配管１に作用する際、配管１の過大な変位を抑えるべく耐震用支持部材３によって配管１が固定されるようになると、その地震荷重が配管支持金物６と配管１に作用するようになる。
【００２０】
この際、上記配管支持金物６は、配管１との溶接部分がなく、しかも、各板状部材７が配管１の外周を取り囲むように配置してあるため、上記のように配管支持金物６と配管１との間に大きな荷重が作用するときにも、上記配管１の管壁における周方向の一部に応力が集中して作用する虞がないため、上記配管支持金物６の装着部分における上記配管１の管壁の損傷が未然に防止されるようになる。
【００２１】
このように、本発明の配管支持金物によれば、従来のラグの代わりに使用することで、平常時は配管１の支持を行うことができ、又、大地震時等に、配管支持金物６と配管１との間に大きな荷重が作用する場合であっても、該配管１における配管支持金物６の装着部分の管壁にて、周方向の一部に応力が集中して作用することで過大な負担が作用する虞を未然に防止できて、配管１と配管支持金物６の接合面の断面係数が上げることができるため、配管１の健全性を維持することができる。
【００２２】
次に、図２は本発明の実施の他の形態として、図１の実施の形態の応用例を示すもので、支持すべき配管の所要個所の外周に、図１に示したものと同様に配管１の外周に周方向に配列される円弧形状の板状部材７と、各板状部材７の隣接する端部同士を連結する板ばね８とからなるリング状構造物９を、配管１長手方向に所要間隔を隔てて複数、たとえば、３つ装着し、該各リング状構造物９にて配管１長手方向に沿って配置されている所要の板状部材７同士を、たとえば、周方向１８０度対向する位置に配管１の長手方向に沿って延びるよう配した２本の連結部材１１で連結して配管支持金物６ａを構成して、上記２本の連結部材１１のうちの一方の連結部材１１の長手方向中間部を、固定構造物４の所要個所に一端部を取り付けてなるスナバー等の耐震用支持部材３の他端部に連結するようにしたものである。
【００２３】
その他、図１に示したものと同一のものには同一符号が付してある。
【００２４】
本実施の形態の配管支持金物６ａによっても、上記実施の形態の配管支持金物６と同様の効果を得ることができる。
【００２５】
なお、本発明は上記各実施の形態のみに限定されるものではなく、配管支持金物６，６ａにおける板状部材７の周方向の分割数は、２又は３、あるいは、５以上の分割数としてもよく、配管１の熱膨張が大きい場合には、分割数を適宜増やすようにすればよい。
【００２６】
図２の実施の形態における配管１の長手方向に配列して該配管１の外周に装着するリング状構造物９の数は、２又は４つ以上としてもよい。又、配管１の長手方向に配列されている各リング状構造物９の板状部材７同士を連結する連結部材１１は、周方向の１個所あるいは周方向に配されている板状部材７の数に応じた本数とする等、適宜増減してもよい。
【００２７】
その他本発明の要旨を逸脱しない範囲内で種々変更を加え得ることは勿論である。
【図面の簡単な説明】
【００２８】
【図１】本発明の配管支持金物の実施の一形態を示すもので、配管を支持した状態を示す配管長手方向の一方から見た該略図である。
【図２】本発明の実施の他の形態を示すもので、配管を支持した状態を示す配管の長手方向及び耐震用支持部材の長手方向の双方と直交する方向の一方から見た該略図である。
【図３】従来の配管支持装置を示す概要図である。
【符号の説明】
【００２９】
１  配管
３  耐震用支持部材
４  固定構造物
６，６ａ  配管支持金物
７  板状部材
８  板ばね
９  リング状構造物
１０  連結部
１１  連結部材
【図１】
2009210066.tif 000003
【図２】
2009210066.tif 000004
【図３】
2009210066.tif 000005